(57)【特許請求の範囲】
【請求項１】
遊技機の制御を行う制御基板を収納する遊技機の基板ケースであって、
前記遊技機の基板ケースは、
前記制御基板が固定されるベースプレートと、
前記ベースプレートに係止され、前記制御基板を保護するカバー部材と、
データを記憶したメモリを備えたメモリ基板が固定されたメモリ基板ケースとから構成され、
前記制御基板には、前記メモリ基板と接続される第一接続部が設けられ、
前記メモリ基板には、前記第一接続部に接続される第二接続部が設けられ、
前記カバー部材を取り外し、前記制御基板を前記ベースプレートに固定した状態で、前記メモリ基板ケースに固定された前記メモリ基板が前記制御基板から着脱可能であり、
前記ベースプレートは長方形状に形成され、
前記ベースプレートの長手方向の一端部側には、前記メモリ基板を収納する直方体形状のメモリ基板ケースが固定されるメモリ基板固定部が設けられ、
当該メモリ基板固定部は長方形状であって、その長手方向が前記ベースプレートの長手方向と直交するように形成され、
前記メモリ基板固定部の長手方向の両端部には、貫通孔である第一係止孔が各々設けられ、
前記メモリ基板ケースの長手方向の両端部には、前記第一係止孔に係止される突起部である第一係止突起が各々設けられ、
前記メモリ基板ケースの前記第一係止突起を前記メモリ基板固定部の前記第一係止孔に係止して、前記メモリ基板ケースを前記メモリ基板固定部に固定すると、前記メモリ基板の第二接続部と、前記ベースプレートに固定された制御基板の第一接続部とが接続され、
前記メモリ基板は、長方形に形成され、
前記メモリ基板ケースは、複数の前記メモリ基板を収納可能であり、
前記メモリ基板は、その対角線上で一対の螺子により前記メモリ基板ケースに各々固定されることを特徴とする遊技機の基板ケース。
【請求項２】
前記ベースプレートには、長手方向の前記一端部と反対側の他端部に貫通孔である第二係止孔が設けられ、
前記カバー部材は直方体形状に形成され、
前記カバー部材の長手方向の一端部には前記ベースプレートの前記第二係止孔に係止される第二係止突起部が設けられ、
前記ベースプレートの前記第二係止孔に前記カバー部材の前記第二係止突起部を係止させて、前記カバー部材が前記ベースプレートに固定されることを特徴とする請求項１に記載の遊技機の基板ケース。
【請求項３】
前記カバー部材の前記一端部と反対側の他端部側の短手方向両端には、前記ベースプレートへの取り付け方向に貫通した貫通孔を有した第一孔部が設けられ、
前記メモリ基板ケースの長手方向の両端部には、さらに、前記ベースプレートへの取り付け方向に穿設された第一螺子孔を有する螺子受部と、貫通孔を有した第二孔部とが設けられ、
前記カバー部材及び前記メモリ基板ケースを前記ベースプレートに固定した場合に、前記第一孔部が前記螺子受部に重なるように構成され、
前記第二孔部の貫通孔が対向するメモリ基板固定部には、螺子孔が穿設され、
当該第二孔部の貫通孔を貫通して当該螺子孔に螺子を挿入して前記メモリ基板ケースを前記メモリ基板固定部に固定し、
緊締方向にのみ螺回可能な螺子が前記カバー部材の前記第一孔部から前記螺子受部に挿入されることにより、前記カバー部材が前記メモリ基板ケースを介して前記ベースプレートに固定されることを特徴とする請求項２に記載の遊技機の基板ケース。
【請求項４】
前記第一孔部と前記カバー部材の本体とを連結する連結部が設けられ、
前記連結部を切断することにより前記カバー部材を前記ベースプレートから取り外し可能であることを特徴とする請求項３に記載の遊技機の基板ケース。
【発明の詳細な説明】
【技術分野】
【０００１】
本発明は、遊技機の制御を司る制御基板を収納する遊技機の基板ケースに関する。
【背景技術】
【０００２】
従来、パチンコ機やスロットマシン等の遊技機では、液晶表示装置、スピーカ、電飾ランプ等を用いて、遊技者の遊技意欲を高めるように遊技内容に同期した様々な演出を行っている。これらの様々な演出は、遊技機の背面側に設けられた基板ケース内に収納された制御基板によって制御されている。
【０００３】
また、遊技機の大当たりの決定も前記制御基板によって行われている。従って、不正行為防止のため、制御基板は合成樹脂製の基板ケースの中に収容され、容易に開閉できないようになっている。この遊技機の基板ケースの一例としては、制御基板が固定されるベース部材（底板）と当該ベース部材に固定された制御基板を覆うカバー部材とを緊締方向にのみ螺回可能な螺子により固定したものが提案されている（例えば、特許文献１参照。）。この特許文献１に記載の遊技機の基板ケースでは、一旦、ベース部材にカバー部材を組み合わせると螺子を取り外しての開放は困難になっている。また、この遊技機の基板ケースに収納される制御基板では、データを記憶したメモリ（ＲＯＭ）が制御基板上に設けられている。
【特許文献１】特開２００６−３４６０８号公報
【発明の開示】
【発明が解決しようとする課題】
【０００４】
しかしながら、上記特許文献１に記載の発明の制御基板では、制御基板とデータを記憶したメモリとが一体化しているため、検査でメモリの不良を検出した場合、制御基板を取り外して、正常なメモリを備えた新規のメモリ基板との交換に手間が掛かるという問題点があった。
【０００５】
本発明は、上記課題を解決するためになされたものであり、メモリの不良を発見した場合に、制御基板を取り外すことなしに、メモリのみ交換できる遊技機の基板ケースを提供することを目的とする。
【課題を解決するための手段】
【０００６】
上記課題を解決するために、請求項１に係る発明の遊技機の基板ケースは、遊技機の制御を行う制御基板を収納する遊技機の基板ケースであって、前記遊技機の基板ケースは、前記制御基板が固定されるベースプレートと、前記ベースプレートに係止され、前記制御基板を保護するカバー部材と、データを記憶したメモリを備えたメモリ基板が固定されたメモリ基板ケースとから構成され、前記制御基板には、前記メモリ基板と接続される第一接続部が設けられ、前記メモリ基板には、前記第一接続部に接続される第二接続部が設けられ、前記カバー部材を取り外し、前記制御基板を前記ベースプレートに固定した状態で、前記メモリ基板ケースに固定された前記メモリ基板が前記制御基板から着脱可能であることを特徴とする。
【０００７】
また、請求項１に係る発明の遊技機の基板ケースでは、上記発明の構成に加えて、前記ベースプレートは長方形状に形成され、前記ベースプレートの長手方向の一端部側には、前記メモリ基板を収納する直方体形状のメモリ基板ケースが固定されるメモリ基板固定部が設けられ、当該メモリ基板固定部は長方形状であって、その長手方向が前記ベースプレートの長手方向と直交するように形成され、前記メモリ基板固定部の長手方向の両端部には、貫通孔である第一係止孔が各々設けられ、前記メモリ基板ケースの長手方向の両端部には、前記第一係止孔に係止される突起部である第一係止突起が各々設けられ、前記メモリ基板ケースの前記第一係止突起を前記メモリ基板固定部の前記第一係止孔に係止して、前記メモリ基板ケースを前記メモリ基板固定部に固定すると、前記メモリ基板の第二接続部と、前記ベースプレートに固定された制御基板の第一接続部とが接続されることを特徴とする。
【０００８】
また、請求項１に係る発明の遊技機の基板ケースでは、上記発明の構成に加えて、前記メモリ基板は、長方形に形成され、前記メモリ基板ケースは、複数の前記メモリ基板を収納可能であり、前記メモリ基板は、その対角線上で一対の螺子により前記メモリ基板ケースに各々固定されることを特徴とする。
【０００９】
また、請求項２に係る発明の遊技機の基板ケースでは、請求項１に記載の発明に加えて、前記ベースプレートには、長手方向の前記一端部と反対側の他端部に貫通孔である第二係止孔が設けられ、前記カバー部材は直方体形状に形成され、前記カバー部材の長手方向の一端部には前記ベースプレートの前記第二係止孔に係止される第二係止突起部が設けられ、前記ベースプレートの前記第二係止孔に前記カバー部材の前記第二係止突起部を係止させて、前記カバー部材が前記ベースプレートに固定されることを特徴とする。
【００１０】
また、請求項３に係る発明の切取部では、請求項２に記載の発明の構成に加えて、前記カバー部材の前記一端部と反対側の他端部側の短手方向両端には、前記ベースプレートへの取り付け方向に貫通した貫通孔を有した第一孔部が設けられ、前記メモリ基板ケースの長手方向の両端部には、さらに、前記ベースプレートへの取り付け方向に穿設された第一螺子孔を有する螺子受部と、貫通孔を有した第二孔部とが設けられ、前記カバー部材及び前記メモリ基板ケースを前記ベースプレートに固定した場合に、前記第一孔部が前記螺子受部に重なるように構成され、前記第二孔部の貫通孔が対向するメモリ基板固定部には、螺子孔が穿設され、当該第二孔部の貫通孔を貫通して当該螺子孔に螺子を挿入して前記メモリ基板ケースを前記メモリ基板固定部に固定し、緊締方向にのみ螺回可能な螺子が前記カバー部材の前記第一孔部から前記螺子受部に挿入されることにより、前記カバー部材が前記メモリ基板ケースを介して前記ベースプレートに固定されることを特徴とする。
【００１１】
また、請求項４に係る発明の遊技機の基板ケースでは、請求項３に記載の発明の記載に加えて、前記第一孔部と前記カバー部材の本体とを連結する連結部が設けられ、前記連結部を切断することにより前記カバー部材を前記ベースプレートから取り外し可能であることを特徴とする。
【発明の効果】
【００１２】
請求項１に係る発明の遊技機の基板ケースでは、カバー部材を取り外し、制御基板をベースプレートに固定した状態で、メモリ基板ケースに固定されたメモリ基板をベースプレートから制御基板を取り外すことなしに、交換することができ、メモリ基板の交換作業の時間短縮を図ることができる。
【００１３】
また、上記発明の効果に加えて、メモリ基板を収納するメモリ基板ケースの第一係止突起をベースプレートの第一係止孔に係止して、メモリ基板をベースプレートに固定することによって、メモリ基板と制御基板との接続も同時に行うことができる。従って、メモリ基板の着脱を容易にして、作業の効率化を図ることができる。
【００１４】
また、上記発明の効果に加えて、メモリ基板ケースに収納されたメモリ基板の螺子が対角線状に固定されているので、メモリ基板ケースにメモリ基板を少ない螺子で確実に固定できると共に、メモリ基板ケースからのメモリ基板の取り外しも２箇所の螺子を外すだけで容易にできる。
【００１５】
また、請求項２に係る発明の遊技機の基板ケースでは、請求項１に記載の発明の効果に加えて、ベースプレートの第二係止孔に、カバー部材の第二係止突起部を係止して、ベースプレートにカバー部材を固定しているので、簡易な構成で固定でき、また、カバー部材の第二係止突起部側からこじ開ける不正行為を防止することができる。
【００１６】
また、請求項３に係る発明の遊技機の基板ケースでは、請求項２に記載の発明の効果に加えて、緊締方向にのみ螺回可能な螺子が前記カバー部材側から前記第一孔部から前記螺子受部に挿入されることにより、前記カバー部材を前記メモリ基板ケースを介して前記ベースプレートに固定されるので、カバー部材及びメモリ基板ケースを不正にこじ開けることを防止できる。
【００１７】
また、請求項４に係る発明の遊技機の基板ケースでは、請求項３に記載の発明の効果に加えて、前記第一孔部ではカバー部材を開放する場合に切り取られる切取り部が、複数設けられている。カバー部材の切取り部を切り取る事でカバー部材が開放され、簡易な構成で形成することができ、本発明を容易に実現することができる。
【発明を実施するための最良の形態】
【００１８】
以下、本発明の一実施の形態である遊技機の基板ケース１０について、図１乃至図４を参照して説明する。尚、遊技機の一例としては、パチンコ機１を用いる。ここで、図１は、パチンコ機１の背面図であり、図２は、パチンコ機１の基板ケース１０の斜視図であり、図３は、基板ケース１０の分解斜視図であり、図４は、メモリ基板固定部３１の拡大斜視図である。
【００１９】
まず、図１を参照して、パチンコ機１について概略的に説明する。図１に示すように、パチンコ機１は、本体を支持する正面視略長方形状の外枠２を備えており、この外枠２により遊技場の遊技機設置島（図示外）に設置される。また、パチンコ機１の背面の右下部には、払出制御基板（図示外）を収納した払出制御基板ボックス５が設けられている。そして、その払出制御基板ボックス５の上部には、カードユニット（図示外）と接続されるカードユニット接続装置６が設けられている。このカードユニットは、現金やプリペイドカードと、パチンコ機１で使用する遊技球とを交換し、パチンコ機１に遊技球を供給するための装置である。
【００２０】
また、カードユニット接続装置６の上部には、遊技球を払い出す（排出する）ための払出装置７が設けられている。そして、パチンコ機１の背面上部には、遊技機設置島から供給された遊技球を貯留する遊技球タンク３が設けられており、この遊技球タンク３は、遊技球を払出装置７へ供給している。
【００２１】
また、パチンコ機１の前面の上半分には、図示外の各種入賞口や役物、液晶画面を備えた遊技盤が設けられている。この遊技盤の背面には、液晶画面（図示外）の制御を行う図柄表示基板（図示外）や、各種ランプや照明の制御を行う電飾基板等の多数の制御基板（図示外）やパチンコ機１の当たりの判断や主制御を司る制御基板（図示外）が設けられている。更に、この遊技盤の背面の各制御基板は、パチンコ機１の背面の中央部に設けられたセンターカバー４によって、覆われて保護されている。
【００２２】
次に、図１を参照して、パチンコ機１のセンターカバー４について説明する。図１に示すように、センターカバー４は、遊技機の背面中央部に設けられ、透明な樹脂で箱型形状に形成されている。従って、外部からセンターカバー４の内部を視認することが可能である。このセンターカバー４の内部には、パチンコ機１の図柄表示の制御を行う制御基板４０を格納した基板ケース１０が収容されているが、センターカバー４の外部から内部に格納された後述する遊技機の基板ケース１０を確認することができる。
【００２３】
次に、図２及び図３を参照して、遊技機の基板ケース１０の構成について説明する。パチンコ機１の基板ケース１０は、金属製の板材をプレス成型した平面視長方形状のベースプレート３０と、当該ベースプレート３０に固定された制御基板４０を覆い保護する直方体形状のカバー部材２０と、図柄等の演出の制御を行う制御基板４０と、演出データを記憶したメモリであるＲＯＭ６０を有するメモリ基板１３と、そのメモリ基板１３を格納した直方体形状のメモリ基板ユニット１１とから構成されている。
【００２４】
まず、図３を参照して、ベースプレート３０の構造を説明する。図３に示すように、ベースプレート３０は平面視、長方形状にプレス成型され、その大部分は、制御基板４０が載置される制御基板載置部３７となっている。この制御基板載置部３７は、平面視、長方形状に形成され、制御基板４０を支える複数の突起部３７Ａ，３７Ｂが形成されている。また、制御基板載置部３７の四隅には、制御基板４０が螺子４６Ａ〜４６Ｄにより固定される螺子孔が穿設された第二螺子孔部３４Ａ〜３４Ｄがベースプレート３０を構成する板材の一部を上方に屈曲させて凸設されている。
【００２５】
さらに、ベースプレート３０には、その長手方向の一端部側（図１に於ける左斜め下側）に、平面視長方形状のメモリ基板固定部３１が形成されている。このメモリ基板固定部３１は、その長手方向をベースプレート３０の長手方向と直交するように設けられている。このメモリ基板固定部３１の長手方向の両端部には、メモリ基板ユニット１１を構成するメモリ基板ケース１２の後述する第一係止突起１５Ａ〜１５Ｄが各々係止される第一係止孔３２Ａ〜３２Ｄが設けられている。図４に示すように、この第一係止孔３２Ａ、３２Ｂは、平面視、Ｌ字形状に形成され、第一係止孔３２Ｃ、３２Ｄは、平面視、逆Ｌ字形状に形成され、メモリ基板ケース１２の後述する第一係止突起１５Ａ〜１５Ｄが係止可能となっている。また、第一係止孔３２Ａ、３２Ｂの間には、螺子孔３５Ａが穿設され、第一係止孔３２Ｃ、３２Ｄの間には、螺子孔３５Ｂが穿設されている。
【００２６】
また、ベースプレート３０のメモリ基板固定部３１と反対側の端部には、カバー部材２０の後端部に設けられた３つの第二係止突起部２２Ａ〜２２Ｃが各々挿入係止される第二係止孔３６Ａ，３６Ｂ，３６Ｃが長方形に穿設されている。尚、第二係止突起部２２Ａ〜２２Ｃは、第二係止孔３６Ａ〜３６Ｃに各々挿入可能な直方体形状に形成されている。
【００２７】
次に、図３、図５及び図６を参照して、メモリ基板ユニット１１の構造を説明をする。図５は、メモリ基板ユニット１１を分解した状態を底面側から見た斜視図であり、図６は、メモリ基板ユニットの底面側から見た斜視図である。
【００２８】
図３、図５及び図６に示すように、メモリ基板ユニット１１は、直方体形状であって、衝撃や静電気などから収容基板を保護する直方体の箱形状の合成樹脂製のメモリ基板ケース１２に、メモリであるＲＯＭ６０を複数備えた平面視、長方形状のメモリ基板１３を嵌めた基板ユニットである。このメモリ基板ユニット１１は、ベースプレート３０のメモリ基板固定部３１に固定されるようになっている。メモリ基板ケース１２の長手方向の両端部の側面の下部には、メモリ基板固定部３１の第一係止孔３２Ａ〜３２Ｄに係止される第一係止突起１５Ａ〜１５Ｄが側面視、Ｌ字形状に各々２個づつ外側に延設されている。具体的には、第一係止突起１５Ａ〜１５Ｄは、メモリ基板ケース１２の長手方向の両端部の側壁部の下端部から下方に向けて一旦、ベースプレート３０の厚さより少し長く突出され、その後、メモリ基板ケース１２の長手方向に沿って、外側に向けて延設されている。この延設部が、第一係止孔３２Ａ〜３２ＤのＬ字又は逆Ｌ字の下部を構成する四角形状の孔部を通過して、第一係止突起１５Ａ〜１５Ｄは第一係止孔３２Ａ〜３２Ｄに係止されるようになっている。
【００２９】
そして、図４及び図５に示すように、メモリ基板ケース１２の長手方向の両端に各々設けられた第一係止突起１５Ａ、１５Ｂ及び、１５Ｃ、１５Ｄの各中間部には、平面視、長方形状に形成された第二孔部１６Ａ、１６Ｂが、メモリ基板ケース１２の長手方向と平行に延設されている。この第二孔部１６Ａ、１６Ｂには、貫通孔が各々穿設され、図３に示すように螺子２５Ａ，２５Ｂを第二孔部１６Ａ、１６Ｂの貫通孔を介してベースプレート３０のメモリ基板固定部３１の螺子孔３５Ａ，３５Ｂに螺合することにより、メモリ基板ケース１２をメモリ基板固定部３１に固定できるようになっている。
【００３０】
また、メモリ基板ケース１２に嵌め込まれているメモリ基板１３は、平面視、長方形状の板状に形成されており、メモリ基板ケース１２には、その長手方向に沿って、メモリ基板１３が直列に二枚格納可能となっている。また、各メモリ基板１３の短手方向の一端部（制御基板４０側）には、当該制御基板４０に設けられたコネクタ４１Ａ，４１Ｂと嵌合するコネクタ１４が各々設けられている。さらに、メモリ基板１３の四隅には、貫通孔５１Ａ〜５１Ｄが穿設されている。尚、コネクタ４１Ａ，４１Ｂが「第一接続部」に相当し、コネクタ１４が、「第二接続部」に相当する。
【００３１】
また、図５及び図６に示すように、直方体形状であるメモリ基板ケース１２の底面部には、長方形状であるメモリ基板１３を縦に二つ格納するための長方形の空間がメモリ基板ケース１２の長手方向に沿って２つ設けられている。尚、このメモリ基板１３が格納される１つの空間には、メモリ基板１３をメモリ基板ケース１２に固定するための固定突起部１８Ａ，１８Ｂが１つ収納部の対角線の両端部に凸設され、当該収納部の他の対角線の両端部に螺子孔が穿設された支持部１９Ａ，１９Ｂが形成されている。また、他の１つ収納部の対角線の両端部に固定突起部１８Ｃ，１８Ｄが凸設され、当該収納部の他の対角線の両端部に螺子孔が穿設された支持部１９Ｃ，１９Ｄが形成されている。
【００３２】
そして、１つのメモリ基板１３は、貫通孔５１Ａ，５１Ｄに固定突起部１８Ａ，１８Ｂの先端の突起が挿入され、貫通孔５１Ｂ，５１Ｃに螺子５２Ｂ，５２Ｃ（図６参照）が貫通されて螺子止めされメモリ基板１３がメモリ基板ケース１２に固定される。また、他の１つのメモリ基板１３は、貫通孔５１Ｂ，５１Ｃに固定突起部１８Ｃ，１８Ｄの先端の突起が挿入され、貫通孔５１Ａ，５１Ｄに螺子５２Ａ，５２Ｄが貫通されて螺子止めされメモリ基板１３がメモリ基板ケース１２に固定される。
【００３３】
さらに、メモリ基板ケース１２には、メモリ基板１３のコネクタ１４を貫通させる開口部が２つ、制御基板４０に対向する側に形成されている。
【００３４】
また、図３、図５及び図６に示すように、メモリ基板ケース１２の長手方向の両端に各々設けられた第一係止突起１５Ａ及び１５Ｃの近傍の角部には、螺子孔が穿設された螺子受部１７Ａ，１７Ｂが各々凸設されている。
【００３５】
次に、図３及び図７を参照して、制御基板４０の説明をする。図７は、ベースプレート３０に制御基板４０を載置した状態の斜視図である。図４及び図７に示すように制御基板４０は平面視、長方形状をなし、制御基板４０の四隅には、ベースプレート３０の第二螺子孔部３４Ａ〜３４Ｄに螺合される螺子４６Ａ〜４６Ｄが挿入される貫通孔４５Ａ〜４５Ｄが設けられている。また、制御基板４０の長手方向の左方である一端部側（メモリ基板ケース１２側）には、メモリ基板１３のコネクタ１４に嵌合するコネクタ４１Ａ，４１Ｂが設けられている。
【００３６】
次に、図２及び図３を参照して、カバー部材２０の構造について説明する。図２及び図３に示すように、カバー部材２０は、下方及び左方が開放された直方体の箱形状に形成された合成樹脂製の透明部材であり、制御基板４０を覆い保護するケースとなっている。そして、カバー部材２０の後端側（図２及び図３に於ける右側）の下端部には、ベースプレート３０の長方形に開口された第二係止孔３６Ａ，３６Ｂ，３６Ｃに各々挿入される平面視、長方形状の板状に形成された第二係止突起部２２Ａ〜２２Ｃが３つ、カバー部材２０の長手方向に沿って延設されている。
【００３７】
また、カバー部材２０の長手方向の左方である端部の短手方向両端には、メモリ基板ケース１２の長手方向両端の角部に設けられた螺子受部１７Ａ、１７Ｂと重なる第一孔部２６、２７が設けられている。第一孔部２６、２７には、後述するワンウェイ螺子２１Ｂが貫通する貫通孔２７Ａ（図１４参照）が穿設されている。このワンウェイ螺子２１Ｂは、遊技機の基板ケースに使用される、緊締方向にのみ螺回可能な周知の螺子である。尚、ワンウェイ螺子２１Ａ，２１Ｂの一例としては、ドライバー等の緊締用の工具の先端部が緊締方向にしか掛からない窪みや溝が形成された頭部を有する螺子を用いることができる。また、第一孔部２６、２７には、カバー部材２０の開放時に切断する連結部２７Ｂが３箇所設けられている。
【００３８】
次に、図７乃至図１４を参照して、ベースプレート３０への制御基板４０、メモリ基板ユニット１１及びカバー部材２０の固定方法について説明する。図８及び図９は、メモリ基板ユニット１１のメモリ基板固定部３１への固定を示す部分拡大斜視図であり、図１０及び図１１は、ベースプレート３０へ制御基板４０及び、メモリ基板ユニット１１を固定した状態の斜視図である。また、図１２及び図１３は、ベースプレート３０へカバー部材２０を固定する状態を示す斜視図であり、図１４は、ワンウェイ螺子２１Ｂの螺合を示す斜視図である。
【００３９】
まず、図３及び図７に示すように、ベースプレート３０へ制御基板４０を螺子４６Ａ〜４６Ｄにより固定する。次いで、図８に示すように、メモリ基板１３が嵌め込まれたメモリ基板ユニット１１の第一係止突起１５Ａ〜１５Ｄをベースプレート３０のメモリ基板固定部３１に穿設された第一係止孔３２Ａ〜３２Ｄに挿入する。次いで、メモリ基板ユニット１１を制御基板４０方向に移動すると、制御基板４０のコネクタ４１Ａ，４１Ｂに各メモリ基板１３のコネクタ１４が嵌合する。次いで、図３，図９乃至図１１に示すように、螺子２５Ａ，２５Ｂにより、メモリ基板ユニット１１をメモリ基板固定部３１に固定する。
【００４０】
その後、図１２に示すように、カバー部材２０の後端部の第二係止突起部２２Ａ，２２Ｂ，２２Ｃをベースプレート３０の後端側の第二係止孔３６Ａ，３６Ｂ，３６Ｃに各々挿入して、図１３に示すように、カバー部材２０により制御基板４０を覆う。このときに、カバー部材２０の第一孔部２６、２７がメモリ基板ケース１２の螺子受部１７Ａ，１７Ｂに重なることになる。その後、図１４に示すように、ワンウェイ螺子２１Ｂをカバー部材２０の第一孔部２７の貫通孔２７Ａに挿入して、カバー部材２０がメモリ基板ケース１２の螺子受部１７Ｂに螺子止めされる。尚、カバー部材２０の第一孔部２６についても同様にワンウェイ螺子２１Ａにより、メモリ基板ケース１２の螺子受部１７Ａに螺子止めされる（図３、図１３参照）。
【００４１】
次に、図３、図１１、図１２及び図１５を参照してカバー部材２０及びメモリ基板ユニット１１の取り外しについて説明する。図１５は、カバー部材２０の第一孔部２７の部分拡大斜視図である。カバー部材２０を取り外す場合には、まず、図１５に示す第一孔部２７の連結部２７Ｂ，２７Ｂ，２７Ｂをニッパー等で切断する。尚、第一孔部２６についても同様に切断する。その後、図１２に示すように、カバー部材２０を引き起こし、カバー部材２０を外すと、図１１に示す状態となる。ここで、図３に示す螺子２５Ａ，２５Ｂを取り外すと、ベースプレート３０から制御基板４０を取り外すことなく、ベースプレート３０のメモリ基板固定部３１からメモリ基板ユニット１１を取り外すことができる。従って、出荷検査時等にメモリ基板ユニット１１のメモリ基板１３の異常を検出した場合には、ベースプレート３０から制御基板４０を取り外す工程を省くことができ、メモリ基板１３の交換の作業性が向上できる。尚、連結部２７Ｂ，２７Ｂ，２７Ｂを切断したカバー部材２０は再使用できないので、メモリ基板１３の交換の後は、未使用のカバー部材２０を使用する。
【００４２】
尚、本発明は、以上詳述した実施の形態に限定されるものではなく、各種の変形が可能なことはいうまでもない。例えば、メモリ基板ユニット１１に収納されるメモリ基板１３は、２個に限られず、１個でも、３個、４個等でも良い。
【００４３】
また、メモリ基板１３に搭載されるＲＯＭ６０の数は、４個に限られるものではなく、他の個数により搭載されたメモリ基板１３であっても良い。また、搭載されるＲＯＭ６０も全て同じ容量のＲＯＭに限られるものではなく、異なる容量のＲＯＭを搭載して構成しても良い。
【００４４】
また、メモリ基板ユニット１１に収納されるメモリ基板１３に接続される、制御基板４０のコネクタ４１Ａ，４１Ｂの数も２個に限られるものではなく、他の数であっても良い。また、複数のメモリ基板１３、ＲＯＭ６０又はコネクタ１４等が設置される場合に、メモリ基板１３に収納することが可能であれば、各メモリ基板で、ＲＯＭ６０又はコネクタ１４等の大きさをそれぞれ同じにしなくても良い。
【００４５】
また、上記実施の形態では、遊技機の基板ケース１０のカバー部材２０の第二係止突起部２２Ａ〜２２Ｃは、３つ設けられているが、第二係止突起部２２Ａ〜２２Ｃは２つ以下でも良いし、４つ以上設けてもよい。また、ベースプレート３０の第二係止孔３６Ａ〜３６Ｃとカバー部材２０の第二係止突起部２２Ａ〜２２Ｃとは、一対になるのであれば、第二係止孔３６Ａ〜３６Ｃと、第二係止突起部２２Ａ〜２２Ｃとを逆に設置してもよいし、カバー部材２０及びベースプレート３０の短手方向である側面部を一対としてもよい。
【００４６】
また、カバー部材２０の第一孔部２６、２７は、長手方向の他端部側の短手方向両端に設けられているが、カバー部材２０の短手方向に、複数設けても良いし長手方向に設けてもよい。また、カバー部材２０を固定するワンウェイ螺子２１Ａ，２１Ｂは、挿入すると抜くことが不可能なピン（矢尻タイプ、圧着タイプなど）や、所定トルク以上かかると頭部が切断される破断螺子などを利用してもよい。
【００４７】
本発明の遊技機の基板ケース１０は、パチンコ機１に用いられる遊技機の基板ケース１０に限られず、パチコン機やパチスロ機、ゲーム機等の各種の遊技機に用いられる遊技機の基板ケース１０に適用可能である。
【図面の簡単な説明】
【００４８】
【図１】パチンコ機１の背面図である。
【図２】パチンコ機１の基板ケース１０の斜視図である。
【図３】基板ケース１０の分解斜視図である。
【図４】メモリ基板固定部３１の拡大斜視図である。
【図５】メモリ基板ユニット１１を分解した状態を底面側から見た斜視図である。
【図６】メモリ基板ユニットの底面側から見た斜視図である。
【図７】ベースプレート３０に制御基板４０を載置した状態の斜視図である。
【図８】メモリ基板ユニット１１のメモリ基板固定部３１への固定を示す部分拡大斜視図である。
【図９】メモリ基板ユニット１１のメモリ基板固定部３１への固定を示す部分拡大斜視図である。
【図１０】ベースプレート３０へ制御基板４０及び、メモリ基板ユニット１１を固定した状態の斜視図である。
【図１１】ベースプレート３０へ制御基板４０及び、メモリ基板ユニット１１を固定した状態の斜視図である。
【図１２】ベースプレート３０へカバー部材２０を固定する状態を示す斜視図である。
【図１３】ベースプレート３０へカバー部材２０を固定する状態を示す斜視図である。
【図１４】ワンウェイ螺子２１Ｂの螺合を示す斜視図である。
【図１５】カバー部材２０の第一孔部２７の部分拡大斜視図である。
【符号の説明】
【００４９】
１  パチンコ機
４  センターカバー
１０  基板ケース
１１  メモリ基板ユニット
１２  メモリ基板ケース
１３  メモリ基板
１４  コネクタ
１５Ａ〜１５Ｄ  第一係止突起
１６Ａ，１６Ｂ  第二孔部
１７Ａ，１７Ｂ  螺子受部
１８Ａ〜１８Ｄ  固定突起部
１９Ａ〜１９Ｄ  支持部
２０  カバー部材
２１Ａ，２１Ｂ  ワンウェイ螺子
２２Ａ〜２２Ｃ  第二係止突起部
２５Ａ，２５Ｂ  螺子
２６，２７  第一孔部
２７Ａ  貫通孔
２７Ｂ  連結部
３０  ベースプレート
３１  メモリ基板固定部
３２Ａ〜３２Ｄ  第一係止孔
３４Ａ〜３４Ｄ  第二螺子孔部
３５Ａ，３５Ｂ  螺子孔
３６Ａ，３６Ｂ，３６Ｃ  第二係止孔
３７  制御基板載置部
４０  制御基板
４１Ａ，４１Ｂ  コネクタ
４５Ａ〜４５Ｄ  貫通孔
４６Ａ〜４６Ｄ  螺子
５１Ａ〜５１Ｄ  貫通孔
６０  ＲＯＭ
【図１】
0005137234.tif 000002
【図２】
0005137234.tif 000003
【図３】
0005137234.tif 000004
【図４】
0005137234.tif 000005
【図５】
0005137234.tif 000006
【図６】
0005137234.tif 000007
【図７】
0005137234.tif 000008
【図８】
0005137234.tif 000009
【図９】
0005137234.tif 000010
【図１０】
0005137234.tif 000011
【図１１】
0005137234.tif 000012
【図１２】
0005137234.tif 000013
【図１３】
0005137234.tif 000014
【図１４】
0005137234.tif 000015
【図１５】
0005137234.tif 000016